(57)【要約】【課題】お客を撮影した画像や販売品の画像を、サービスで次位のお客への宣伝を兼ねて携帯電話の待ち受け画面に掲載するにあたり、次位のお客がこの画像の撮影者や販売者のウエブサイトを閲覧したい場合、簡単に見れるようにしたい。【解決手段】  お客を撮影した画像や購入品の画像を携帯電話の待ち受け画面に掲載するにあたり、撮影者や販売者のウエブサイトの２次元コード画像を、上記の画像の邪魔にならず且つ読み取り可能な大きさとして１画面に加工して待ちうけ画面に掲載する。【選択図】図１
2010092449.tif 000002
【特許請求の範囲】
【請求項１】
お客を撮影した画像や販売品等の画像と、撮影者や販売者のウエブサイトのＵＲＬの２次元コードの画像を、２次元コードの画像が上記の画像の識別の邪魔にならず、且つ携帯電話のバーコードリーダーで読み取り可能な大きさで１画像に加工して、お客の携帯電話の待ち受け画面に掲載し、次位のお客が待ち受け画面の２次元コードを次位の携帯電話のバーコードリーダーで読み取ることで、撮影者や販売者のウエブサイトを閲覧できるようにしたことを特徴とする携帯電話によるウエブサイトの閲覧システム。
【請求項２】
写真やイラストまたは文字等の画像と、画像提供者のウエブサイトのＵＲＬの２次元コードの画像を、２次元コードの画像が上記の画像の識別の邪魔にならず、且つ携帯電話の待ち受け画面に掲載した場合に、携帯電話のバーコードリーダーで読み取り可能な大きさで１画像に加工し、この画像が携帯電話の待ち受け画面に掲載できるようにして提供したことを特徴とする携帯電話によるウエブサイトの閲覧システム。
【発明の詳細な説明】
【技術分野】
【０００１】  この発明は携帯電話を利用したウエブサイトの閲覧システムに関する。
【背景技術】
【０００２】  携帯電話でウェブサイトを閲覧する方法として、印刷物等に記載しているウェブサイトのＵＲＬの２次元コード画像を、バーコードリーダーで読み取って閲覧することが一般的に行われている。【０００３】  また、呉服店や美容院等が着物の着付けやヘアーメイク等をした場合に撮影した画像、旅行会社が旅行先でお客を撮影した画像やお客の購入品の商品の画像等を、写真やアルバム等としてお客に提供する場合、これらをお客の携帯電話にデーターとして提供すればいつでも簡単に見ることができ、新しい顧客サービスとして利用できる。
【発明の開示】
【発明が解決しようとする課題】
【０００４】  上記のサービスをさらに発展させて、これらの画像を、お客の携帯電話の待ち受け画面に掲載すればお客本人が日常的に見て楽しむ以外に、第３者に見せることで新たな話題を創出する効果がある。【０００５】  第３者に上記の待ち受け画面を見せた場合、この着付けやヘアーメイクはどこで行ったのか？私もやりたい等の要望がある場合は、当該業者のウエブサイトのＵＲＬを探して知らせるか、携帯電話のメールファイルやブックマークで保存されている業者のＵＲＬを第３者に送信して知らせることになる。【０００６】  上記の送信手段は、手馴れていない場合面倒である上にせっかくの話題の盛り上がりを損なう恐れがある。【０００７】  待ち受け画面の画像のままで、第３者が当該業者のウエブサイトをすぐに閲覧できれば上記の懸念は解消される。【０００８】  本発明は、このような従来の問題を解決しようとするものであり、携帯電話を利用したウエブサイトの閲覧システムを提供することを目的としている。
【課題を解決するための手段】
【０００９】  そして、本発明は上記の目的を達成するために、お客を撮影した画像や販売品等の画像と、撮影者や販売者のウエブサイトのＵＲＬの２次元コードの画像を、２次元コードの画像が上記の画像の識別の邪魔にならず、且つ携帯電話のバーコードリーダーで読み取り可能な大きさで１画像に加工して、お客の携帯電話の待ち受け画面に掲載し、次位のお客が待ち受け画面の２次元コードを次位の携帯電話のバーコードリーダーで読み取ることで、撮影者や販売者のウエブサイトを閲覧できるようにしたものである。【００１０】  また、第２の解決手段は写真やイラストまたは文字等の画像と、画像提供者のウエブサイトのＵＲＬの２次元コードの画像を、２次元コードの画像が上記の画像の識別の邪魔にならず、且つ携帯電話の待ち受け画面に掲載した場合に、携帯電話のバーコードリーダーで読み取り可能な大きさで１画像に加工し、この画像が携帯電話の待ち受け画面に掲載できるようにして提供したものである。【００１１】  上記の第１の解決手段による作用は次の通りである。すなわち、業者のウエブサイトのＵＲＬを例えばＱＲコード等の２次元コード化した２次元コード画像と、お客や商品等の撮影画像は１画像に加工されてお客の携帯電話の待ち受け画面に掲載されているので、次のお客は別の携帯電話のバーコードリーダーでこのＱＲコードを読み取ることで業者のウエブサイトをすばやく簡単に見ることができる。
【発明の効果】
【００１２】  お客の携帯電話の待ちうけ画面に、お客の撮影画像や購入商品の画像が掲載されているので、これらを提供した業者の広告宣伝の効果があり、さらにこの待ち受け画面に当該業者のウエブサイトのＵＲＬが２次元コードとして上記の画像と１画面に掲載されているので、次のお客がこの業者のウエブサイトを閲覧したい場合、この２次元コードを別の携帯電話のバーコードリーダーで読み取ることですばやく簡単に閲覧できる。【００１３】  お客を撮影したり商品の販売をした業者は、お客の携帯電話を利用して、お客および次位の広範囲のお客に対して、経費をかけないで宣伝広告をすることができる。【００１４】
【発明を実施するための最良の形態】
【００１５】  以下本発明の実施の形態を図１〜図３に基づいて説明する。【００１６】  図１においては、この発明システムのフローチャートを示している。【００１７】  当該業者はサービスや商品内容の詳細を掲載したウエブサイトのＵＲＬを２次元コード化ソフトでＱＲコード等の２次元コード画像１に加工する。【００１８】  次に、お客を撮影した画像２や販売した商品の画像等を上記のコンピューターに取り込み、この画像２と２次元コード画像１を画像処理ソフトで１つの画像３に加工する。【００１９】  この場合２次元コード画像１は、お客の撮影画像２や商品の画像が識別できる大きさ（あまり邪魔にならない大きさや配置）で、且つ携帯電話のバーコードリーダーで読み取り可能な大きさで１画像に加工する。（２次元コード画像の大きさは一般的には、６０ピクセル×６０ピクセル以上の大きさである）【００２０】  上記の加工画像３のデーターを、お客の携帯電話４のメールアドレスにメール通信によって送信する。（待ち受け画面の専用サイズが決められている場合２４０ピクセル×２４０ピクセルの大きさが一般的である）【００２１】  お客の携帯電話４のメールサイトに上記の画像データーが受信されると、この画像データーを当該携帯電話４を操作してこの携帯電話４の待ち受け画面５に掲載する。【００２２】  上記の状態で、次位のお客がこの待ち受け画面５の提供業者のウエブサイトを閲覧したい場合、別の携帯電話６のバーコードリーダーで２次元コード１を読み取ってウエブサイトを見ることができる。【００２３】  待ちうけ画面５に表示する画像は、図２に示したようにお客や商品の撮影画像以外にイラストや文字の画像なども利用できる。【００２４】  図３は上記の業者のウエブサイトのＵＲＬの２次元コード１だけを掲載した待ち受け画面５を示している。この場合は上記と同様に利用することで、名刺の代わりやパンフレットの代わりに利用することができ、さらに読み取った側においても、画像のデーターとして携帯電話およびコンピューター内で保存管理がそのまま行え、印刷物にする費用が不要となる。
【図面の簡単な説明】
【００２５】
【図１】この発明のウエブサイトの閲覧システムのフローチャート図
【図２】携帯電話の待ち受け画面を示す
【図３】携帯電話の他の待ち受け画面を示す
【符号の説明】
【００２６】    １・・・２次元コード
２・・・画像
３・・・画像
４・・・携帯電話
５・・・待ち受け画面
６・・・携帯電話
【図１】
2010092449.tif 000003
【図２】
2010092449.tif 000004
【図３】
2010092449.tif 000005